(57)【要約】【課題】  被照射面上の端部における照度の低下を抑制しつつ、大型化及び照度の損失を抑制可能な照明装置及びそれを備える画像読取装置を提供すること。【解決手段】  第１の方向に長い出射面１１５と、出射面１１５と対向する拡散面１１３と、出射面１１５と拡散面１１３とを繋ぐ入射面１１４と、を有する導光体１１２と、入射面１１４と対向する光源１０９と、を備え、光源１０９から出射して入射面１１４に入射する光を、拡散面１１３及び出射面１１５を介して被照射面に導光する照明装置１０３であって、第１の方向に垂直な第１の断面内において、光源１０９の発光面の幅は拡散面１１３の幅よりも大きく、導光体１１２は、光源１０９から出射して入射面１１４に入射しない光を拡散面１１３に導く取込部１１７を有する。【選択図】  図３
2016100695.tif 000002
【特許請求の範囲】
【請求項１】
第１の方向に長い出射面と、該出射面と対向する拡散面と、前記出射面と前記拡散面とを繋ぐ入射面と、を有する導光体と、前記入射面と対向する光源と、を備え、前記光源から出射して前記入射面に入射する光を、前記拡散面及び前記出射面を介して被照射面に導光する照明装置であって、
前記第１の方向に垂直な第１の断面内において、前記光源の発光面の幅は前記拡散面の幅よりも大きく、
前記導光体は、前記光源から出射して前記入射面に入射しない光を前記拡散面に導く取込部を有することを特徴とする照明装置。
【請求項２】
前記光源の発光面の中心は、前記導光体の中心よりも前記拡散面に近いことを特徴とする請求項１に記載の照明装置。
【請求項３】
前記第１の断面内において、前記取込部の幅の最大値及び最小値の夫々をＷｍａｘ及びＷｍｉｎとするとき、
１．０≦Ｗｍａｘ／Ｗｍｉｎ＜１．２
なる条件を満足することを特徴とする請求項１又は２に記載の照明装置。
【請求項４】
前記第１の断面内において、前記取込部の幅は、前記拡散面の幅よりも大きいことを特徴とする請求項１乃至３のいずれか１項に記載の照明装置。
【請求項５】
前記第１の断面内において、前記取込部の幅は、前記発光面の幅よりも大きいことを特徴とする請求項１乃至４のいずれか１項に記載の照明装置。
【請求項６】
前記第１の断面内において、前記取込部の幅は、前記光源の側から前記第１の方向に遠ざかるに従って小さくなることを特徴とする請求項１乃至５のいずれか１項に記載の照明装置。
【請求項７】
前記第１の断面内における前記取込部の幅の最大値と最小値との平均値をＴ、該平均値Ｔの前記第１の方向における最大値及び最小値の夫々をＴｍａｘ及びＴｍｉｎ、前記第１の方向における前記取込部の長さをＬ、とするとき、
（Ｔｍａｘ−Ｔｍｉｎ）／Ｌ＜０．６０
なる条件を満足することを特徴とする請求項６に記載の照明装置。
【請求項８】
前記第１の断面内において、前記取込部の幅は、前記第１の方向において一定であることを特徴とする請求項１乃至５のいずれか１項に記載の照明装置。
【請求項９】
前記導光体は、互いに対向し前記入射面と前記出射面とを繋ぐ２つの反射面を有することを特徴とする請求項１乃至８のいずれか１項に記載の照明装置。
【請求項１０】
前記第１の断面内において、前記取込部の幅は、前記反射面同士の間隔よりも小さいことを特徴とする請求項９に記載の照明装置。
【請求項１１】
前記第１の断面内において、前記取込部と前記２つの反射面の夫々とは不連続に接続していることを特徴とする請求項９又は１０に記載の照明装置。
【請求項１２】
前記反射面同士の間隔は、前記出射面に近づくに従い大きくなることを特徴とする請求項９乃至１１のいずれか１項に記載の照明装置。
【請求項１３】
前記第１の断面内において、前記反射面同士の間隔の変化率は、前記取込部の幅の変化率よりも大きいことを特徴とする請求項９乃至１２のいずれか１項に記載の照明装置。
【請求項１４】
前記第１の断面内において、前記出射面及び前記２つの反射面は扇形状又は円形状の一部を成していることを特徴とする請求項１乃至１３のいずれか１項に記載の照明装置。
【請求項１５】
前記第１の断面内において、前記２つの反射面の形状は、焦点の位置が前記拡散面の中点の位置に一致する放物面又は楕円面であることを特徴とする請求項１乃至１４のいずれか１項に記載の照明装置。
【請求項１６】
前記第１の断面内において、前記２つの反射面は正のパワーを有することを特徴とする請求項１乃至１５のいずれか１項に記載の照明装置。
【請求項１７】
前記光源は、発光素子を１つのみ含むことを特徴とする請求項１乃至１６のいずれか１項に記載の照明装置。
【請求項１８】
前記拡散面は、微細構造及び白色塗料の少なくとも一方を含むことを特徴とする請求項１乃至１７のいずれか１項に記載の照明装置。
【請求項１９】
前記光源からの光を原稿面に導く請求項１乃至１８のいずれか１項に記載の照明装置と、前記原稿面からの光を受光する受光部と、前記原稿面からの光を前記受光部の受光面上に集光する縮小光学系と、を備えることを特徴とする画像読取装置。
【請求項２０】
前記照明装置と、前記受光部と、前記縮小光学系と、を保持するキャリッジを備えることを特徴とする請求項１９に記載の画像読取装置。
【請求項２１】
前記原稿に平行な方向において、前記原稿と前記キャリッジとの相対位置を変更する駆動部を備えることを特徴とする請求項２０に記載の画像読取装置。
【発明の詳細な説明】
【技術分野】
【０００１】
本発明は、イメージスキャナー、複写機、ファクシミリなどの画像読取装置等に用いられる照明装置に関する。
【背景技術】
【０００２】
従来、画像読取装置においては、ＬＥＤ（Ｌｉｇｈｔ  Ｅｍｉｔｔｉｎｇ  Ｄｉｏｄｅ）や有機ＥＬ（Ｏｒｇａｎｉｃ  Ｅｌｅｃｔｒｏ  Ｌｕｍｉｎｅｓｃｅｎｃｅ）素子などの光源が導光体の長手方向の端部に配置された照明装置が採用されている。
【０００３】
このような端部配置型の照明装置においては、光源からの光束が導光体の拡散面にて反射され、光源から離れる方向に偏向されて被照射面（原稿面）に導光される。よって、光源からの光束は、被照射面上の主走査方向（導光体の長手方向に対応）における端部に向かいにくく、被照射面上での照度は、主走査方向における中央部よりも端部の方が低くなってしまう。そこで、特許文献１には、導光体を長手方向に延長して、導光体の拡散面で全反射した光束が被照射面上の端部に向かい易くすることにより、被照射面上の端部における照度の低下を抑制した構成が開示されている。
【０００４】
また、高画質化及び高速化を実現するために、被写界深度が深い縮小光学系を用いた縮小結像方式を採用した画像読取装置が知られている。しかしながら、縮小結像方式の画像読取装置においては、コサイン４乗則に起因して、被照射面上での照度が、主走査方向における中央部から端部にかけて低下してしまう。そこで、特許文献２には、図１２に示すように、導光体４０３の入射面４１４と対向するように複数の光源４１１を配置し、下方の光源を拡散面４１３に近づけた構成が開示されている。この構成によれば、拡散面４１３を介して被照射面に至る光束Ｓの光路長を短くすることができるため、被照射面の端部に到達する光束を確保して照度の低下を抑制することができる。
【先行技術文献】
【特許文献】
【０００５】
【特許文献１】特開２０１１−７１６９６号公報
【特許文献２】特開２０１１−１８８０８０号公報
【発明の概要】
【発明が解決しようとする課題】
【０００６】
しかしながら、特許文献１では、導光体を長手方向に延長しているため、照明装置が大型化してしまう。また、特許文献２では、複数の光源を用いているため、部品点数が増加してコストアップしてしまう。なお、複数の光源の代わりに発光面積の広い高輝度ＬＥＤを用いて、それを導光体の拡散面に近づけて配置することにより、被照射面上の端部における照度の低下を抑制する方法も考えられる。しかし、その場合、導光体の入射面に対して高輝度ＬＥＤの発光面がはみ出てしまい、一部の光束が導光体に入射せずに漏れ光となり、照度の損失が生じてしまう。
【０００７】
そこで、本発明は、被照射面上の端部における照度の低下を抑制しつつ、大型化及び照度の損失を抑制可能な照明装置及びそれを備える画像読取装置を提供することを目的とする。
【課題を解決するための手段】
【０００８】
上記目的を達成するための、本発明の一側面としての照明装置は、第１の方向に長い出射面と、該出射面と対向する拡散面と、前記出射面と前記拡散面とを繋ぐ入射面と、を有する導光体と、前記入射面と対向する光源と、を備え、前記光源から出射して前記入射面に入射する光を、前記拡散面及び前記出射面を介して被照射面に導光する照明装置であって、前記第１の方向に垂直な第１の断面内において、前記光源の発光面の幅は前記拡散面の幅よりも大きく、前記導光体は、前記光源から出射して前記入射面に入射しない光を前記拡散面に導く取込部を有することを特徴とする。
【０００９】
本発明の更なる目的又はその他の特徴は、以下、添付の図面を参照して説明される好ましい実施形態によって明らかにされる。
【発明の効果】
【００１０】
本発明によれば、被照射面上の端部における照度の低下を抑制しつつ、大型化及び照度の損失を抑制可能な照明装置及びそれを備える画像読取装置を提供することができる。
【図面の簡単な説明】
【００１１】
【図１】実施例１に係る画像読取装置の要部概略図
【図２】実施例１に係る画像読取装置における照明装置周辺の要部拡大図
【図３】実施例１に係る照明装置の要部概略図
【図４】実施例１に係る導光体の要部断面図
【図５】実施例１に係る２つの反射側面の間隔を表す図
【図６】実施例２に係る照明装置の要部概略図
【図７】実施例２に係る導光体の要部断面図
【図８】実施例２に係る２つの反射側面の間隔を表す図
【図９】実施例３に係る照明装置の要部概略図
【図１０】実施例３に係る導光体の要部断面図
【図１１】実施例３に係る２つの反射側面の間隔を表す図
【図１２】従来例に係る照明装置の要部概略図
【発明を実施するための形態】
【００１２】
以下、本発明の好ましい実施形態について図面を参照しながら説明する。なお、各図において、同一の部材については同一の参照番号を付し、重複する説明を省略する。
【００１３】
［実施例１］
図１は、本発明の実施例１に係る画像読取装置１００の要部概略図（ＺＸ断面図）である。画像読取装置１００は、照明装置１０３、反射部１０４、結像部１０６、及び受光部１０５、を一体的に保持する読取ユニット（キャリッジ）１０７と、原稿台１０２と、駆動部１０８と、を備えている。
【００１４】
原稿台１０２は、原稿１０１を載置するための台であり、ガラスなどの透光性を有する材料から成る。受光部１０５は、原稿１０１からの光束を受光するラインセンサやイメージセンサから成る。反射部１０４は、原稿１０１からの光束を折り返して結像部１０６に導く複数の折返しミラー１０４ａ〜１０４ｄから成る。結像部１０６は、反射部１０４からの光束を受光部１０５の受光面上に集光し、原稿１０１の画像情報に基づく像を形成する縮小光学系である。駆動部１０８は、キャリッジ１０７を原稿１０１の原稿面（被照射面）に平行な方向であるＺ方向（図中の矢印方向）に移動させるための駆動力を発生させるモータなどで構成される。
【００１５】
照明装置１０３から出射した光束は、原稿１０１の原稿面にて反射及び拡散され、反射部１０４の第１折返しミラー１０４ａ〜第４折返しミラー１０４ｄにより結像部１０６に導かれ、受光部１０５の受光面上に集光される。受光部１０５は、ＣＣＤイメージセンサやＣＭＯＳイメージセンサから成る。それらは、画素がＹ方向に多数並んだラインセンサや、ＲＧＢ画素がＹ方向に一列に多数並んだラインセンサや、Ｒ画素、Ｇ画素、及びＢ画素の３列のラインセンサが平行に並んだセンサであってもよい。そして、駆動部１０８によりキャリッジ１０７をＺ方向に移動させることによって、キャリッジ１０７に原稿１０１の原稿面上をＺ方向に走査させることができる。これにより、受光部１０５は原稿１０１の原稿面全体の画像情報を読み取ることができる。
【００１６】
なお、キャリッジ１０７が原稿面を走査する際は、キャリッジ１０７により保持される各部材同士の相対位置は変わらない。また、駆動部１０８によって、キャリッジ１０７の代わりに原稿１０１を移動させたり、キャリッジ１０７及び原稿１０１の両方を移動させたりすることにより、キャリッジ１０７と原稿１０１とのＺ方向における相対位置を変更させてもよい。キャリッジ１０７を移動させずに原稿１０１のみを移動させる場合には、駆動部１０８として給送ローラーや給送ベルト等を用いることができる。受光部１０５により読み取られた画像情報は、インターフェースを通じて不図示の画像処理部、あるいはパーソナルコンピュータなどの外部機器に送信される。
【００１７】
ここで、本実施形態に係る照明装置１０３について、図２及び図３を用いて詳細に説明する。図２は、図１における照明装置１０３の周辺の拡大図であり、図３は、照明装置１０３の要部概略図（斜視図）である。本実施例に係る画像読取装置１００は、同一の照明装置１０３を２つ備えており、夫々の照明装置１０３は読取光軸１２０を挟んで対称的に配置されている。照明装置１０３は、光源１１１と、光源１１１から出射する光束を原稿１０１における読取領域１２１に導く導光体１１２と、を有する。本実施例に係る照明装置１０３においては、導光体の長手方向である第１の方向（Ｙ方向）における両端面である２つの入射面１１４の夫々と対向して、光源１１１が１つずつ配置されている。
【００１８】
なお、各光源１１１は、発光素子１０９と、発光素子１０９が実装される基板１１０と、を含んでいる。発光素子１０９としては、無機半導体及び有機半導体の少なくとも一方からなる発光層を有するＬＥＤ又は有機ＥＬ素子などが用いられる。発生する光としては白色光が望ましいが、それに限らず赤色、緑色、青色などの光であってもよい。白色光を発光する素子としては、パワーＬＥＤ、高輝度ＬＥＤ、高輝度ＥＬ素子などと呼ばれる白色発光素子を用いることができる。本実施例においては、発光素子１０９として高輝度白色ＬＥＤを採用している。このとき、発光素子１０９の幅を、後述する導光体１１２の拡散面の幅よりも大きくすることにより、十分な照明光量を得ている。
【００１９】
図２及び図３に示したように、導光体１１２は、２つの入射面１１４、拡散面１１３、出射面１１５、２つの反射面１１６、及び取込部１１７を含み、長手方向において一様な形状を成している。本実施例に係る導光体１１２は、プラスチックなどの合成樹脂材料から成り、長手方向の長さは３２０ｍｍである。２つの光源１１１から出射した光束は、２つの入射面１１４に入射し、他の面を介さずに直接、又は、出射面１１５及び２つの反射面１１６の少なくとも１つにより反射（全反射）されて、拡散面１１３に到達する。拡散面１１３は、２つの入射面１１４を繋いでおり、各入射面１１４からの光束を拡散させる微細構造を含んでいる。
【００２０】
出射面１１５は、拡散面１１３により拡散された光束を原稿１０１に向けて出射する面であり、２つの反射面１１６は、拡散面１１３と出射面１１５とを繋ぐ面である。本実施例においては、拡散面１１３における三角プリズム状の微細構造部によって、入射面１１４からの光束を効率よく読取領域１２１に向けて偏向することが可能になる。これにより、読取領域１２１において十分な光量を確保し、かつ、光量が安定した副走査方向（Ｚ方向）の照明領域を確保することができる。
【００２１】
次に、本実施例に係る導光体１１２が有する取込部１１７について詳細に説明する。図４（ａ）は、本実施例に係る導光体１１２の長手方向に垂直な断面（ＺＸ断面）を示す図であり、図４（ｂ）は、比較例に係る導光体１１２のＺＸ断面図である。また、図５は、ＺＸ断面内におけるＸ方向の各位置においての導光体１１２の幅（Ｚ方向における長さ）を示す図である。
【００２２】
図３及び図４（ａ）に示したように、導光体１１２の入射面１１４は円形状であり、出射面１１５及び２つの反射面１１６は円柱の一部を成している。なお、図４（ａ）においては、入射面１１４と後述する取込部１１７との境界を破線で示している。また、ＺＸ断面内において、入射面１１４の直径は４ｍｍ、拡散面１１３の幅は１．２ｍｍである。なお、図４（ｂ）に示す比較例に係る導光体１１２の入射面１１４の直径及び拡散面１１３の幅は、上述した本実施例のものと等しい（詳細は後述）。
【００２３】
また、発光素子１０９の発光面は３．０ｍｍ四方であり、その中心が円弧の中心から拡散面１１３に向けて０．３ｍｍ近付いた位置に配置されている。このように、発光素子１０９を拡散面１１３に近付けて配置することで、発光素子１０９から原稿面に至る光路長が短くなり、原稿面における主走査方向（Ｙ方向）の端部に入射する光束を確保することができる。よって、導光体１１２を長手方向に延長することなく、原稿面上の端部における照度の低下を抑制することができる。
【００２４】
ここで、図４（ｂ）及び図５における破線で示したように、取込部１１７を設けずに、拡散面１１３よりも出射面１１５の側を単純に円柱形状とした比較例に係る導光体１１２においては、発光素子１０９が入射面１１４からはみ出してしまう。すなわち、発光素子１０９の発光面の一部は、入射面１１４と対向しない領域を有することになる。よって、発光素子１０９から出射する光束の一部は導光体１１２に入射せずに漏れ光となり、照度の損失が生じてしまう。図４（ｂ）においては、発光素子１０９の発光面の幅は３．０ｍｍであるため、拡散面１１３の幅が１．２ｍｍであることを考慮すると、最大で１．８ｍｍ（片側０．９ｍｍ）が入射面１１４からはみ出すことになる。すなわち、発光素子１０９から出射する全光束に対して６％の漏れ光が生じてしまう。
【００２５】
そこで、本実施例では、発光素子１０９における入射面１１４からはみ出した部分に対応させて、取込部１１７を設けている。これは、拡散面１１３近傍での導光体１１２の幅（入射面１１４の面積及び反射面１１６同士の間隔）を拡大したことに相当する。具体的に、導光体１１２では、図５において実線で示したように、ＺＸ断面内において拡散面１１３（１．２ｍｍ）の両側を０．９ｍｍずつ延長することにより、導光体１１２の幅が３．０ｍｍで一定となる領域（第１の領域）を設けている。すなわち、第１の領域における導光体１１２の幅を、発光素子１０９の幅と略同一の間隔にしている。これにより、発光素子１０９を拡散面１１３に近付けることにより生じる漏れ光を、取込部１１７により拡散面１１３に導くことができ、発光素子１０９からの光束を効率的に原稿面に導光することが可能になる。
【００２６】
ここで、ＺＸ断面内において、取込部１１７が配置される位置（第１の領域）での導光体１１２の幅（以下、「取込部１１７の幅」と呼ぶ）は、厳密に一定でなくてもよく、発光素子（発光面）１０９の幅に合わせて略一定とすればよい。具体的には、取込部１１７の幅Ｗの最大値及び最小値をＷｍａｘ及びＷｍｉｎ、とするとき、以下の条件式（１）を満足するように構成すればよい。
１．０≦Ｗｍａｘ／Ｗｍｉｎ＜１．２    （１）
【００２７】
本実施例においては、Ｗ＝Ｗｍａｘ＝Ｗｍｉｎ＝３．０ｍｍ、Ｗｍａｘ／Ｗｍｉｎ＝１．０、であり、上記条件式（１）を満たしている。本実施例では、取込部１１７の幅が発光面の幅と同じになるように取込部１１７を設けたが、これに限られるものではない。ただし、漏れ光抑制の効果を十分に得るためには、取込部１１７の幅が発光面の幅以上となるように取込部１１７を設けることが望ましい。
【００２８】
なお、取込部１１７よりも出射面側の第２の領域は、反射面１１６同士の間隔（導光体１１２の幅）が出射面１１５に近づくに従い大きくなる領域となる。また、第２の領域における反射面１１６同士の間隔の（Ｘ方向での）変化率は、それよりも拡散面側の第１の領域における導光体１１２の幅（取込部１１７の幅）の（Ｘ方向での）変化率よりも大きくなっている。つまり、第２の領域における導光体１１２の幅は条件式（１）を満たしていない。このとき、第１の領域と第２の領域との境界において、導光体１１２の外形は不連続となっている。すなわち、取込部１１７と２つの反射面１１６の夫々とは、ＺＸ断面内において不連続に接続している。また、第２の領域における反射面１１６同士の間隔は、第１の領域における導光体１１２の幅よりも大きくなっている。
【００２９】
以上、本実施例に係る照明装置によれば、原稿面上の端部における照度の低下を抑制しつつ、導光体の長手方向の長さの増大を抑制し、かつ、漏れ光の発生による照度の損失を低減することができる。
【００３０】
［実施例２］
以下、本発明の実施例２に係る導光体２１２について詳細に説明する。本実施例に係る画像読取装置１００及び照明装置１０３の構成は、導光体を除いて上述した実施例１に係る構成と同様である。
【００３１】
図６は、本実施例に係る照明装置１０３の要部概略図（斜視図）である。実施例１と同様に、導光体２１２の長手方向（Ｙ方向）の長さは３２０ｍｍであり、光源を構成する発光素子２０９としては高輝度白色ＬＥＤを採用している。しかし、本実施例に係る導光体２１２が有する拡散面２１３は、実施例１とは異なり、長手方向における一方の入射面２１４から対向する他方の入射面２１４にかけて、光束を拡散させる白色塗料を塗布することにより形成されている。
【００３２】
また、本実施例に係る２つの反射面２１６の夫々は、集光作用を有する曲面形状を成している。具体的に、２つの反射面２１６の夫々は、ＺＸ断面内において、焦点の位置が拡散面２１３の中点の位置に一致する放物面又は楕円面となっており、正のパワーを有している。この反射面２１６によれば、拡散面２１３にて拡散された光束を偏向し、出射面２１５を介して効率よく読取領域１２１に導くことが可能になる。よって、読取領域１２１において十分な光量を確保し、かつ、光量が安定した副走査方向（Ｚ方向）の照明領域を確保することができる。
【００３３】
図７は、本実施例に係る導光体２１２の長手方向に垂直な断面（ＺＸ断面）を示す図であり、図８は、ＺＸ断面内におけるＸ方向の各位置においての導光体２１２の幅を示す図である。図６及び図７に示したように、導光体２１２において、入射面２１４は扇形状であり、出射面２１５及び２つの反射面２１６は扇形状の一部を成している。なお、図７においては、入射面２１４と取込部２１７との境界を破線で示している。また、ＺＸ断面内において、入射面２１４の高さは５．９ｍｍ、拡散面２１３の幅は２．０ｍｍ、出射面２１５の幅は６．５ｍｍである。なお、本実施例に係る発光素子２０９の発光面は４．０ｍｍ四方であり、その中心が導光体２１２の中心（高さの半分の位置）から拡散面２１３に向けて０．５ｍｍ近付いた位置に配置されている。
【００３４】
図８における破線で示したように、取込部２１７を設けずに、拡散面２１３よりも出射面２１５の側を単純に扇形状とした比較例に係る導光体２１２においては、発光素子２０９が入射面２１４からはみ出してしまい、漏れ光が生じてしまう。発光素子２０９の発光面の幅は４．０ｍｍであるため、拡散面２１３の幅が２．０ｍｍであることを考慮すると、最大で２．０ｍｍ（片側１．０ｍｍ）が入射面２１４からはみ出してしまう。これにより、発光素子２０９から出射する全光束に対して９％の漏れ光が生じてしまう。
【００３５】
対して、本実施例では、発光素子２０９における入射面２１４からはみ出した部分に対応させて取込部２１７を設けている。具体的に、導光体２１２では、図８において実線で示したように、ＺＸ断面内において拡散面２１３（２．０ｍｍ）の両側を１．０ｍｍずつ延長することにより、導光体２１２の幅が略一定となる領域（第１の領域）を設けている。
【００３６】
すなわち、第１の領域における導光体２１２の幅（取込部２１７の幅）を、発光素子２０９の幅４．０ｍｍと略同一の間隔にしている。これにより、発光素子２０９を拡散面２１３に近付けることにより生じる漏れ光を、取込部２１７により拡散面２１３に導くことができ、発光素子２０９からの光束を効率的に原稿面に導光することが可能になる。本実施例においては、Ｗｍａｘ＝４．２ｍｍ、Ｗｍｉｎ＝３．８ｍｍ、Ｗｍａｘ／Ｗｍｉｎ＝１．１、であり、前述した条件式（１）を満たしている。
【００３７】
なお、実施例１においては、図３に示したように、導光体１１２の長手方向の全域に渡って取込部１１７を設けているが、本実施例においては、図６に示したように、導光体２１２の長手方向における一部にのみ取込部２１７を設けている。具体的には、各入射面２１４から長手方向における中央部に向かって（各入射面２１４から遠ざかるに従って）取込部２１７の幅が小さくなるようなテーパー状の取込部２１７を設けている。すなわち、第１の断面内での取込部２１７の幅の最大値Ｗｍａｘと最小値Ｗｍｉｎとの平均値をＴとするとき、平均値Ｔは各入射面２１４から遠ざかるに従って減少する。
【００３８】
ここで、本実施例においては、取込部２１７のＹ方向の長さをＬ、第１の領域における平均値Ｔの（Ｙ方向での）最大値及び最小値をＴｍａｘ及びＴｍｉｎ、とするとき、以下の条件式（２）を満足するように取込部２１７を構成している。
（Ｔｍａｘ−Ｔｍｉｎ）／Ｌ＜０．６０    （２）
【００３９】
この条件式（２）を満たすように取込部２１７を構成することにより、取込部２１７を経て導光体２１２を伝播する光束が全反射角を満たすようにして、効率的に導光することが可能になる。一方で、条件式（２）の上限値を上回ると、ＹＺ断面内における取込部２１７の傾斜が大きくなり、導光体２１２を伝播する光束が全反射角を満たさず、読取領域１２１の外側に光束が向かってしまい、読取領域１２１に効率的に集光することができなくなる。本実施例においては、Ｌ＝１０ｍｍ、Ｔｍａｘ＝４．０ｍｍ、Ｔｍｉｎ＝２．０ｍｍ、（Ｔｍａｘ−Ｔｍｉｎ）／Ｌ＝０．２０、であり、上記条件式（２）を満たしている。
【００４０】
以上、本実施例に係る導光体によれば、原稿面上の端部における照度の低下を抑制しつつ、長手方向の長さの増大を抑制し、かつ、漏れ光の発生による照度の損失を低減することができる。また、２つの反射面の夫々を、集光作用を有する曲面形状とすることにより、光束をより効率よく読取領域に導くことを可能にしている。
【００４１】
［実施例３］
以下、本発明の実施例３に係る導光体３１２について詳細に説明する。本実施例に係る画像読取装置１００の構成は、照明装置１０３を除いて上述した実施例１に係る構成と同様である。
【００４２】
図９は、本実施例に係る照明装置１０３の要部概略図（斜視図）である。実施例１と同様に、導光体３１２の長手方向（Ｙ方向）の長さは３２０ｍｍであり、光源を構成する発光素子３０９としては高輝度白色ＬＥＤを採用している。しかし、実施例１とは異なり、本実施例においては、導光体３１２の長手方向における一方の端部のみを入射面３１４とし、発光素子３０９をその一方の端部にのみ配置している。
【００４３】
なお、本実施例に係る拡散面３１３は、入射面３１４とそれに対向する端面３１８を繋いでおり、入射面３１４からの光束を拡散させる台形プリズム状の微細構造部を含んでいる。また、２つの反射面３１６の夫々は、実施例２と同様に、ＺＸ断面内において、焦点の位置が拡散面３１３の中点の位置に一致する放物面又は楕円面となっており、凸のパワーを有している。この構成により、入射面３１４からの光束を拡散面３１３により拡散させ、出射面３１５を介して効率よく読取領域１２１に導くことが可能になる。よって、読取領域１２１において十分な光量を確保し、かつ、光量が安定した副走査方向（Ｚ方向）の照明領域を確保することができる。
【００４４】
図１０は、本実施例に係る導光体３１２の長手方向に垂直な断面（ＺＸ断面）を示す図であり、図１１は、ＺＸ断面内におけるＸ方向の各位置においての導光体３１２の幅を示す図である。図９及び図１０に示したように、導光体３１２において、入射面３１４は扇形状であり、出射面３１５及び２つの反射面３１６は扇形状の一部を成している。ＺＸ断面内において、入射面３１４の高さは５．５ｍｍ、拡散面３１３の幅は１．２ｍｍ、出射面３１５の幅は４．９ｍｍである。なお、本実施例に係る発光素子３０９の発光面は４．０ｍｍ四方であり、その中心が導光体３１２の中心（高さの半分の位置）から拡散面３１３に向けて０．３ｍｍ近付いた位置に配置されている。
【００４５】
図１１における破線で示したように、取込部３１７を設けずに、拡散面３１３よりも出射面３１５の側を単純に扇形状とした比較例に係る導光体３１２においては、発光素子３０９が入射面３１４からはみ出してしまい、漏れ光が生じてしまう。発光素子３０９の発光面の幅は４．０ｍｍであるため、拡散面３１３の幅が１．２ｍｍであることを考慮すると、最大で２．８ｍｍ（片側１．４ｍｍ）が入射面３１４からはみ出してしまう。これにより、発光素子３０９から出射する全光束に対して２６％の漏れ光が生じてしまう。
【００４６】
対して、本実施例では、発光素子３０９における入射面３１４からはみ出した部分に対応させて取込部３１７を設けている。具体的に、導光体３１２では、図８において実線で示したように、ＺＸ断面内において拡散面３１３（１．２ｍｍ）の両側を１．４ｍｍずつ延長することにより、導光体３１２の幅が略一定となる領域（第１の領域）を設けている。
【００４７】
すなわち、第１の領域における導光体３１２の幅（取込部３１７の幅）を、発光素子３０９の幅４．０ｍｍと略同一の間隔にしている。これにより、発光素子３０９を拡散面３１３に近付けることにより生じる漏れ光を、取込部３１７により拡散面３１３に導くことができ、発光素子３０９からの光束を効率的に原稿面に導光することが可能になる。本実施例においては、Ｗｍａｘ＝４．０ｍｍ、Ｗｍｉｎ＝４．０ｍｍ、Ｗｍａｘ／Ｗｍｉｎ＝１．０、であり、前述した条件式（１）を満たしている。また、Ｌ＝５．０ｍｍ、Ｔｍａｘ＝４．０ｍｍ、Ｔｍｉｎ＝１．２ｍｍ、（Ｔｍａｘ−Ｔｍｉｎ）／Ｌ＝０．５６、であり、上記条件式（２）を満たしている。
【００４８】
以上、本実施例に係る導光体によれば、原稿面上の端部における照度の低下を抑制しつつ、長手方向の長さの増大を抑制し、かつ、漏れ光の発生による照度の損失を低減することができる。また、導光体の長手方向における一方の端部にのみ光源を配置する構成とすることにより、照明装置を構成する部材の数を減らすことができ、かつ導光体の形状の複雑化を抑制することができる。
【００４９】
［変形例］
以上、本発明の好ましい実施形態について説明したが、本発明はこれらの実施形態に限定されず、その要旨の範囲内で種々の組合せ、変形及び変更が可能である。
【００５０】
例えば、上述した各実施例において、入射面は円形状又は扇形状であり、反射面及び出射面は円柱形状又は扇形状の一部を成しているが、入射面からの光束を原稿面に導光できる構成であるならば、これに限られない。また、光源の発光面の形状は矩形形状に限られるものではなく、発光面の形状に合わせた形状の取込部を設ければ、本発明の効果を得ることができる。拡散面としては、微細構造や白色塗料を組合せた構成としてもよく、入射面からの光束を拡散できる構成であるならばそれら以外の構成を採用してもよい。また、出射面及び２つの反射面の少なくとも１つに正のパワーを持たせてもよい。
【００５１】
実施例１及び２において、実施例３と同様に光源を導光体の長手方向における一方の端面にのみ設ける構成や、実施例３において、実施例１及び２と同様に光源を導光体の長手方向における両方の端面に設ける構成を採ってもよい。また、原稿台の材料としては、ガラスに限らず樹脂（アクリル樹脂やポリカーボネイト樹脂など）を用いてもよく、導光体の材料としては、樹脂に限らずガラス等を用いてもよい。
【００５２】
さらに、実施例１において、実施例２及び３と同様に取込部をテーパー形状としてもよく、実施例２及び３において、実施例１と同様に導光体の長手方向の全域に第１の領域を設けてもよい。長手方向の全域に第１の領域を設けた構成において、長手方向の位置によってＺＸ断面内での反射面同士の間隔を変化させてもよい。また、導光体において、一方の反射面側と他方の反射面側とで、及び一方の入射面側と他方の入射面側とで、取込部の構成を異ならせてもよい。例えば、一方の反射面側を実施例１に係る構成とし、他方の反射面側を実施例２及び３の構成としてもよい。
【００５３】
また、発光素子を導光体の中心に対してＸ方向にずらして配置してもよい。その場合、発光素子の配置に応じて第１の領域における導光体の形状や大きさを適宜変更し、反射面同士の間隔を発光面の幅と同等以上にすることにより、漏れ光の発生を抑制するように構成することが望ましい。取込部としては、前述した構成に限らず、ＹＺ断面内において階段状となる構成や、ＹＺ断面内及びＺＸ断面内の少なくとも一方において、一方の反射面側の方が大きい構成としてもよい。
【００５４】
なお、上述した各実施例に係る画像読取装置においては、読取光軸を挟んで２つの照明装置を対称的に配置しているが、この構成に限られるものではない。例えば、一方の照明装置に出射面を２つ設け、他方の照明装置の代わりに反射部材を配置した構成を採ってもよい。この場合、一方の出射面から出射した光束を直接原稿面に導光し、かつ他方の出射面から出射した光束を反射部材により偏向して原稿面に導光することができる。
【符号の説明】
【００５５】
１０３  照明装置
１０９  発光素子
１１２  導光体
１１３  拡散面
１１４  入射面
１１５  出射面
１１７  取込部
【図１】
2016100695.tif 000003
【図２】
2016100695.tif 000004
【図３】
2016100695.tif 000005
【図４】
2016100695.tif 000006
【図５】
2016100695.tif 000007
【図６】
2016100695.tif 000008
【図７】
2016100695.tif 000009
【図８】
2016100695.tif 000010
【図９】
2016100695.tif 000011
【図１０】
2016100695.tif 000012
【図１１】
2016100695.tif 000013
【図１２】
2016100695.tif 000014